(57)【特許請求の範囲】
【請求項１】
端部に設けられた出入口を介して１つずつ送られた束紙葉類を集積状態で収納するとともに収納されている束紙葉類を前記出入口により１つずつ繰出可能な少なくとも２つの束紙葉類収納部と、
束紙葉類を集積状態で保留するとともに保留されている束紙葉類を集積された順とは逆の順に１つずつ放出可能な保留部と、
各前記束紙葉類収納部および前記保留部の間で束紙葉類を搬送する搬送部と、
ある前記束紙葉類収納部から束紙葉類を全て繰り出して他の前記束紙葉類収納部および前記保留部のうち偶数の個所を経由して元の前記束紙葉類収納部に戻すような並べ替え処理を行うよう各構成部材を制御する制御部と、
を備えた、紙葉類処理装置。
【請求項２】
前記制御部は、前記並べ替え処理を行う際に、複数の前記束紙葉類収納部のうち第１の束紙葉類収納部から束紙葉類を全て繰り出して前記保留部に送り、その後、前記第１の束紙葉類収納部が空状態となると複数の前記束紙葉類収納部のうち第２の束紙葉類収納部から束紙葉類を全て繰り出して前記第１の束紙葉類収納部に送り、その後、前記第２の束紙葉類収納部が空状態となると前記保留部から束紙葉類を全て繰り出して前記第２の束紙葉類収納部に送り、その後、前記保留部が空状態となると前記第１の束紙葉類収納部から束紙葉類を全て繰り出して前記保留部に送り、その後、前記第１の束紙葉類収納部が空状態となると前記第２の束紙葉類収納部から束紙葉類を全て繰り出して前記第１の束紙葉類収納部に送り、その後、前記第２の束紙葉類収納部が空状態となると前記保留部から束紙葉類を全て繰り出して前記第２の束紙葉類収納部に送るよう各構成部材を制御する、請求項１記載の紙葉類処理装置。
【請求項３】
束紙葉類の識別を行う識別部を更に備え、
前記識別部は、前記搬送部による束紙葉類の搬送路における前記保留部と各前記束紙葉類収納部との間に設けられており、
前記並べ替え処理が行われる際に、前記搬送部により搬送される束紙葉類の識別が前記識別部により行われる、請求項１または２記載の紙葉類処理装置。
【請求項４】
束紙葉類を回収するための回収部を更に備え、
前記識別部による識別結果に基づいて正常な束紙葉類ではないと判断された束紙葉類が前記回収部により回収されるようになっている、請求項３記載の紙葉類処理装置。
【請求項５】
束紙葉類を筐体の外部に投出するための投出部を更に備え、
前記識別部による識別結果に基づいて正常な束紙葉類ではないと判断された束紙葉類が前記投出部により前記筐体の外部に投出されるようになっている、請求項３記載の紙葉類処理装置。
【請求項６】
各前記束紙葉類収納部に収納されている束紙葉類の種類別の束数を記憶する記憶部を更に備え、
前記制御部は、各前記束紙葉類収納部から繰り出され前記識別部により識別された束紙葉類の種類別の束数と前記記憶部に記憶されている束紙葉類の種類別の束数とを比較する精査処理を行う際に前記並べ替え処理も行うようになっている、請求項３乃至５のいずれか一項に記載の紙葉類処理装置。
【請求項７】
前記精査処理における、各前記束紙葉類収納部から繰り出され前記識別部により識別された束紙葉類の種類別の束数と前記記憶部に記憶されている束紙葉類の種類別の束数とが異なる場合に両者の差を報知する報知部を更に備えた、請求項６記載の紙葉類処理装置。
【請求項８】
前記制御部が前記並べ替え処理を行うタイミングは、前記並べ替え処理の開始の指示を受け付けたとき、所定の時刻となったとき、前記紙葉類処理装置において締め処理が行われたとき、および本体部分が筐体から引き出されて操作者が前記束紙葉類収納部にアクセス可能となった後、前記本体部分が前記筐体に戻されたときのうち少なくともいずれか１つのときである、請求項１乃至７のいずれか一項に記載の紙葉類処理装置。
【請求項９】
前記制御部は、少なくとも１つの束紙葉類が前記束紙葉類収納部に滞留している時間が所定の時間に達した場合に前記並べ替え処理を行う、請求項１乃至８のいずれか一項に記載の紙葉類処理装置。
【請求項１０】
端部に設けられた出入口を介して１つずつ送られた束紙葉類を集積状態で収納するとともに収納されている束紙葉類を前記出入口により１つずつ繰出可能な少なくとも２つの束紙葉類収納部、束紙葉類を集積状態で保留するとともに保留されている束紙葉類を集積された順とは逆の順に１つずつ放出可能な保留部、および各前記束紙葉類収納部および前記保留部の間で束紙葉類を搬送する搬送部を有する紙葉類処理装置と、
前記紙葉類処理装置とは別に設けられ、当該紙葉類処理装置の管理を行う管理装置と、
を備えた紙葉類処理システムであって、
前記紙葉類処理装置においてある前記束紙葉類収納部から束紙葉類を全て繰り出して他の前記束紙葉類収納部および前記保留部のうち偶数の個所を経由して元の前記束紙葉類収納部に戻すような並べ替え処理を行うよう前記紙葉類処理装置の各構成部材を制御する制御部を備えた、紙葉類処理システム。
【請求項１１】
前記制御部は前記管理装置に設けられている、請求項１０記載の紙葉類処理システム。
【請求項１２】
端部に設けられた出入口を介して１つずつ送られた束紙葉類を集積状態で収納するとともに収納されている束紙葉類を前記出入口により１つずつ繰出可能な少なくとも２つの束紙葉類収納部、および束紙葉類を集積状態で保留するとともに保留されている束紙葉類を集積された順とは逆の順に１つずつ放出可能な保留部を有する紙葉類処理装置における紙葉類処理方法であって、
ある前記束紙葉類収納部から束紙葉類を全て繰り出す工程と、
繰り出された束紙葉類を、他の前記束紙葉類収納部および前記保留部のうち偶数の個所を経由して元の前記束紙葉類収納部に戻す工程と、
を備えた、紙葉類処理方法。
【請求項１３】
端部に設けられた出入口を介して１つずつ送られた束紙葉類を集積状態で収納するとともに収納されている束紙葉類を前記出入口により１つずつ繰出可能な少なくとも２つの束紙葉類収納部、および束紙葉類を集積状態で保留するとともに保留されている束紙葉類を集積された順とは逆の順に１つずつ放出可能な保留部を有する紙葉類処理装置における紙葉類処理方法であって、
複数の前記束紙葉類収納部のうち第１の束紙葉類収納部から束紙葉類を全て繰り出して前記保留部に送る第１工程と、
前記第１工程の後に、複数の前記束紙葉類収納部のうち第２の束紙葉類収納部から束紙葉類を全て繰り出して前記第１の束紙葉類収納部に送る第２工程と、
前記第２工程の後に、前記保留部から束紙葉類を全て繰り出して前記第２の束紙葉類収納部に送る第３工程と、
前記第３工程の後に、前記第１の束紙葉類収納部から束紙葉類を全て繰り出して前記保留部に送る第４工程と、
前記第４工程の後に、前記第２の束紙葉類収納部から束紙葉類を全て繰り出して前記第１の束紙葉類収納部に送る第５工程と、
前記第５工程の後に、前記保留部から束紙葉類を全て繰り出して前記第２の束紙葉類収納部に送る第６工程と、
を備えた、紙葉類処理方法。
【発明の詳細な説明】
【技術分野】
【０００１】
本発明は、束紙葉類の並べ替え処理を行う紙葉類処理装置、このような紙葉類処理装置を備えた紙葉類処理システムおよびこのような紙葉類処理装置による紙葉類処理方法に関する。
【背景技術】
【０００２】
紙幣を所定枚数（例えば、１００枚）単位で帯封紙により帯封して帯封紙幣を作成し、作成された帯封紙幣を収納庫に収納したり出金したりするような帯封紙幣処理装置として従来から様々なタイプのものが知られている（例えば、特許文献１等参照）。特許文献１に開示される媒体処理装置では、４つの収納庫および昇降機構部が設けられている。また、このような媒体処理装置では、各収納庫に収納されている帯封紙幣の在高を確認するような機内精査処理を行うことができるようになっている。特許文献１に開示される媒体処理装置において機内精査処理を行うにあたり、まず、第１の収納庫内の帯封紙幣を１つずつ昇降機構部に移動させ、この際に認識部により帯封紙幣の金種、束数、結束状態等を確認する。次に、第２の収納庫内の帯封紙幣を１つずつ第１の収納庫内に移動させ、この際に認識部により帯封紙幣の金種、束数、結束状態等を確認する。同様に、第３の収納庫内の帯封紙幣を１つずつ第２の収納庫内に移動させ、この際に認識部により帯封紙幣の金種、束数、結束状態等を確認する。その後、第４の収納庫内の帯封紙幣を１つずつ第３の収納庫内に移動させ、この際に認識部により帯封紙幣の金種、束数、結束状態等を確認する。最後に、昇降機構部に保留していた帯封紙幣を１つずつ第４の収納庫内に移動させる。このような機内精査処理が行われると、元々第２〜第４の収納庫内に収納されていた帯封紙幣の集積順序が入れ替えられるようになる。
【先行技術文献】
【特許文献】
【０００３】
【特許文献１】特開２０１５−８２１８７号公報
【発明の概要】
【発明が解決しようとする課題】
【０００４】
特許文献１等に開示されるような従来の媒体処理装置では、機内精査処理が行われる前の状態におけるある金種の帯封紙幣が収納される収納庫と、機内精査処理が行われた後の状態における当該金種の帯封紙幣が収納される収納庫とが異なるようになってしまう。このため、機内精査処理が行われる前と後とで各収納庫と帯封紙幣の金種との間の紐付けが異なるようになってしまう。ここで、上述した従来の媒体処理装置においてエラーが発生した際にエラー解除を行う場合やメンテナンスを行う場合に、係員による手操作が必要となるが、収納庫と帯封紙幣の金種との間の紐付けが一定でないと操作性が悪くなってしまうという問題がある。
【０００５】
また、特許文献１等に開示されるような従来の媒体処理装置では、機内精査処理を行ったときに、最初に第１の収納庫から昇降機構部に移された帯封紙幣は第４の収納庫に戻されても集積順序が入れ替えられない。これに対し、各収納庫の底部近傍に集積される帯封紙幣がいつまでも収納庫内に滞留してしまうことを防止するために、全ての収納庫について帯封紙幣の集積順序を入れ替えることが望まれている。
【０００６】
本発明は、このような点を考慮してなされたものであり、各束紙葉類収納部に割り当てられる束紙葉類の種類を変更することなく、各束紙葉類収納部に収納されている束紙葉類の集積順序を入れ替えることができる紙葉類処理装置、紙葉類処理システムおよび紙葉類処理方法を提供することを目的とする。
【課題を解決するための手段】
【０００７】
本発明の紙葉類処理装置は、端部に設けられた出入口を介して１つずつ送られた束紙葉類を集積状態で収納するとともに収納されている束紙葉類を前記出入口により１つずつ繰出可能な少なくとも２つの束紙葉類収納部と、束紙葉類を集積状態で保留するとともに保留されている束紙葉類を集積された順とは逆の順に１つずつ放出可能な保留部と、各前記束紙葉類収納部および前記保留部の間で束紙葉類を搬送する搬送部と、ある前記束紙葉類収納部から束紙葉類を全て繰り出して他の前記束紙葉類収納部および前記保留部のうち偶数の個所を経由して元の前記束紙葉類収納部に戻すような並べ替え処理を行うよう各構成部材を制御する制御部と、を備えたことを特徴とする。
【０００８】
このような紙葉類処理装置によれば、ある束紙葉類収納部から束紙葉類を全て繰り出して偶数の個数の他の束紙葉類収納部または保留部を経由して元の束紙葉類収納部に戻すような並べ替え処理を行うことにより、各束紙葉類収納部に割り当てられる束紙葉類の種類を変更することなく、各束紙葉類収納部に収納されている束紙葉類の集積順序を入れ替えることができる。
【０００９】
本発明の紙葉類処理装置においては、前記制御部は、前記並べ替え処理を行う際に、複数の前記束紙葉類収納部のうち第１の束紙葉類収納部から束紙葉類を全て繰り出して前記保留部に送り、その後、前記第１の束紙葉類収納部が空状態となると複数の前記束紙葉類収納部のうち第２の束紙葉類収納部から束紙葉類を全て繰り出して前記第１の束紙葉類収納部に送り、その後、前記第２の束紙葉類収納部が空状態となると前記保留部から束紙葉類を全て繰り出して前記第２の束紙葉類収納部に送り、その後、前記保留部が空状態となると前記第１の束紙葉類収納部から束紙葉類を全て繰り出して前記保留部に送り、その後、前記第１の束紙葉類収納部が空状態となると前記第２の束紙葉類収納部から束紙葉類を全て繰り出して前記第１の束紙葉類収納部に送り、その後、前記第２の束紙葉類収納部が空状態となると前記保留部から束紙葉類を全て繰り出して前記第２の束紙葉類収納部に送るよう各構成部材を制御するようになっていてもよい。
【００１０】
本発明の紙葉類処理装置は、束紙葉類の識別を行う識別部を更に備え、前記識別部は、前記搬送部による束紙葉類の搬送路における前記保留部と各前記束紙葉類収納部との間に設けられており、前記並べ替え処理が行われる際に、前記搬送部により搬送される束紙葉類の識別が前記識別部により行われるようになっていてもよい。
【００１１】
この場合、本発明の紙葉類処理装置は、束紙葉類を回収するための回収部を更に備え、前記識別部による識別結果に基づいて正常な束紙葉類ではないと判断された束紙葉類が前記回収部により回収されるようになっていてもよい。
【００１２】
あるいは、本発明の紙葉類処理装置は、束紙葉類を筐体の外部に投出するための投出部を更に備え、前記識別部による識別結果に基づいて正常な束紙葉類ではないと判断された束紙葉類が前記投出部により前記筐体の外部に投出されるようになっていてもよい。
【００１３】
また、本発明の紙葉類処理装置は、各前記束紙葉類収納部に収納されている束紙葉類の種類別の束数を記憶する記憶部を更に備え、前記制御部は、各前記束紙葉類収納部から繰り出され前記識別部により識別された束紙葉類の種類別の束数と前記記憶部に記憶されている束紙葉類の種類別の束数とを比較する精査処理を行う際に前記並べ替え処理も行うようになっていてもよい。
【００１４】
この場合、本発明の紙葉類処理装置は、前記精査処理における、各前記束紙葉類収納部から繰り出され前記識別部により識別された束紙葉類の種類別の束数と前記記憶部に記憶されている束紙葉類の種類別の束数とが異なる場合に両者の差を報知する報知部を更に備えていてもよい。
【００１５】
本発明の紙葉類処理装置においては、前記制御部が前記並べ替え処理を行うタイミングは、前記並べ替え処理の開始の指示を受け付けたとき、所定の時刻となったとき、前記紙葉類処理装置において締め処理が行われたとき、および本体部分が筐体から引き出されて操作者が前記束紙葉類収納部にアクセス可能となった後、前記本体部分が前記筐体に戻されたときのうち少なくともいずれか１つのときであってもよい。
【００１６】
本発明の紙葉類処理装置においては、前記制御部は、少なくとも１つの束紙葉類が前記束紙葉類収納部に滞留している時間が所定の時間に達した場合に前記並べ替え処理を行うようになっていてもよい。
【００１７】
本発明の紙葉類処理システムは、端部に設けられた出入口を介して１つずつ送られた束紙葉類を集積状態で収納するとともに収納されている束紙葉類を前記出入口により１つずつ繰出可能な少なくとも２つの束紙葉類収納部、束紙葉類を集積状態で保留するとともに保留されている束紙葉類を集積された順とは逆の順に１つずつ放出可能な保留部、および各前記束紙葉類収納部および前記保留部の間で束紙葉類を搬送する搬送部を有する紙葉類処理装置と、前記紙葉類処理装置とは別に設けられ、当該紙葉類処理装置の管理を行う管理装置と、を備えた紙葉類処理システムであって、前記紙葉類処理装置においてある前記束紙葉類収納部から束紙葉類を全て繰り出して他の前記束紙葉類収納部および前記保留部のうち偶数の個所を経由して元の前記束紙葉類収納部に戻すような並べ替え処理を行うよう前記紙葉類処理装置の各構成部材を制御する制御部を備えたことを特徴とする。
【００１８】
このような紙葉類処理システムによれば、紙葉類処理装置においてある束紙葉類収納部から束紙葉類を全て繰り出して偶数の個数の他の束紙葉類収納部または保留部を経由して元の束紙葉類収納部に戻すような並べ替え処理を行うことにより、各束紙葉類収納部に割り当てられる束紙葉類の種類を変更することなく、各束紙葉類収納部に収納されている束紙葉類の集積順序を入れ替えることができる。
【００１９】
本発明の紙葉類処理システムにおいては、前記制御部は前記管理装置に設けられていてもよい。
【００２０】
本発明の紙葉類処理方法は、端部に設けられた出入口を介して１つずつ送られた束紙葉類を集積状態で収納するとともに収納されている束紙葉類を前記出入口により１つずつ繰出可能な少なくとも２つの束紙葉類収納部、および束紙葉類を集積状態で保留するとともに保留されている束紙葉類を集積された順とは逆の順に１つずつ放出可能な保留部を有する紙葉類処理装置における紙葉類処理方法であって、ある前記束紙葉類収納部から束紙葉類を全て繰り出す工程と、繰り出された束紙葉類を、他の前記束紙葉類収納部および前記保留部のうち偶数の個所を経由して元の前記束紙葉類収納部に戻す工程と、を備えたことを特徴とする。
【００２１】
このような紙葉類処理方法によれば、紙葉類処理装置においてある束紙葉類収納部から束紙葉類を全て繰り出して偶数の個数の他の束紙葉類収納部または保留部を経由して元の束紙葉類収納部に戻すような並べ替え処理を行うことにより、各束紙葉類収納部に割り当てられる束紙葉類の種類を変更することなく、各束紙葉類収納部に収納されている束紙葉類の集積順序を入れ替えることができる。
【００２２】
本発明の紙葉類処理方法は、端部に設けられた出入口を介して１つずつ送られた束紙葉類を集積状態で収納するとともに収納されている束紙葉類を前記出入口により１つずつ繰出可能な少なくとも２つの束紙葉類収納部、および束紙葉類を集積状態で保留するとともに保留されている束紙葉類を集積された順とは逆の順に１つずつ放出可能な保留部を有する紙葉類処理装置における紙葉類処理方法であって、複数の前記束紙葉類収納部のうち第１の束紙葉類収納部から束紙葉類を全て繰り出して前記保留部に送る第１工程と、前記第１工程の後に、複数の前記束紙葉類収納部のうち第２の束紙葉類収納部から束紙葉類を全て繰り出して前記第１の束紙葉類収納部に送る第２工程と、前記第２工程の後に、前記保留部から束紙葉類を全て繰り出して前記第２の束紙葉類収納部に送る第３工程と、前記第３工程の後に、前記第１の束紙葉類収納部から束紙葉類を全て繰り出して前記保留部に送る第４工程と、前記第４工程の後に、前記第２の束紙葉類収納部から束紙葉類を全て繰り出して前記第１の束紙葉類収納部に送る第５工程と、前記第５工程の後に、前記保留部から束紙葉類を全て繰り出して前記第２の束紙葉類収納部に送る第６工程と、を備えたことを特徴とする。
【００２３】
このような紙葉類処理方法によれば、紙葉類処理装置においてある束紙葉類収納部から束紙葉類を全て繰り出して偶数の個数の他の束紙葉類収納部または保留部を経由して元の束紙葉類収納部に戻すような並べ替え処理を行うことにより、各束紙葉類収納部に割り当てられる束紙葉類の種類を変更することなく、各束紙葉類収納部に収納されている束紙葉類の集積順序を入れ替えることができる。
【発明の効果】
【００２４】
本発明の紙葉類処理装置、紙葉類処理システムおよび紙葉類処理方法によれば、各束紙葉類収納部に割り当てられる束紙葉類の種類を変更することなく、各束紙葉類収納部に収納されている束紙葉類の集積順序を入れ替えることができる。
【図面の簡単な説明】
【００２５】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を右側方から見たときの内部構成を概略的に示す概略構成図である。
【図４】図１に示す貨幣入出金機における制御系の構成を示す機能ブロック図である。
【図５】（ａ）〜（ｇ）は、図１に示す貨幣入出金機の紙幣入出金装置において各帯封紙幣収納部に収納されている帯封紙幣の集積順序を入れ替える動作を順に示す説明図である。
【発明を実施するための形態】
【００２６】
以下、図面を参照して本発明の実施の形態について説明する。図１乃至図５は、本実施の形態による貨幣入出金機を示す図である。このうち、図１は、本実施の形態による貨幣入出金機の外観を示す斜視図であり、図２は、図１に示す貨幣入出金機における紙幣入出金装置の内部構成を概略的に示す概略構成図であり、図３は、図１に示す貨幣入出金機における硬貨入出金装置を右側方から見たときの内部構成を概略的に示す概略構成図である。また、図４は、図１に示す貨幣入出金機における制御系の構成を示す機能ブロック図である。また、図５（ａ）〜図５（ｇ）は、図１に示す貨幣入出金機の紙幣入出金装置において各帯封紙幣収納部に収納されている帯封紙幣の集積順序を入れ替える動作を順に示す説明図である。
【００２７】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２８】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２９】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００３０】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図４参照）によりそれぞれ駆動されるようになっている。
【００３１】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００３２】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００３３】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３４】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３５】
また、入金一時保留部３０の上端部の近傍には紙幣繰出繰入部３０ｂが設けられており、入金一時保留部３０に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。
【００３６】
また、混合バラ紙幣収納部３２の上端部の近傍には紙幣繰入部３２ｂが設けられており、搬送部１８からこの紙幣繰入部３２ｂにより混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびにオーバーフロー紙幣等が混合状態で収納されるようになっている。なお、本実施の形態では、混合バラ紙幣収納部３２に収納されているバラ紙幣を搬送部１８に繰り出すことができないようになっている。
【００３７】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。
【００３８】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。また、本実施の形態による紙幣入出金装置１０では、引出ユニット１３を筐体１２の内部にロックするためのロック機構５０（図４参照）が引出ユニット１３に設けられている。
【００３９】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００４０】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００４１】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４２】
図２に示すように、筐体１２の内部における上部領域には、複数（図２に示す例では４つ）の帯封紙幣収納部７０、７２、７４、７６が設けられており、これらの帯封紙幣収納部７０、７２、７４、７６には、帯封部４２により作成された帯封紙幣が積層状態で収納されるようになっている。具体的には、各帯封紙幣収納部７０、７２、７４、７６には、それぞれ予め設定された特定の金種の帯封紙幣が収納されるようになっている。なお、予め設定された特定の金種の帯封紙幣が収納される帯封紙幣収納部７０、７２、７４、７６が４つ設けられる代わりに、複数の帯封紙幣収納部７０、７２、７４、７６のうち少なくとも１つの帯封紙幣収納部（例えば、帯封紙幣収納部７０）に金種が異なる帯封紙幣が混合状態で収納されるようになっていてもよい。
【００４３】
各帯封紙幣収納部７０、７２、７４、７６の内部にはそれぞれ図２における上下方向に移動可能となっているステージ７０ａ、７２ａ、７４ａ、７６ａが設けられており、帯封紙幣収納部７０、７２、７４、７６の上端部（天井部分）に設けられた出入口（図示せず）からこれらの各帯封紙幣収納部７０、７２、７４、７６に送られた帯封紙幣はステージ７０ａ、７２ａ、７４ａ、７６ａ上に積層状態で集積されるようになっている。また、各帯封紙幣収納部７０、７２、７４、７６から帯封紙幣を出す場合には、ステージ７０ａ、７２ａ、７４ａ、７６ａが上昇することにより各帯封紙幣収納部７０、７２、７４、７６の上端部（天井部分）に設けられた出入口から帯封紙幣が上方に出されるようになる。
【００４４】
また、これらの各帯封紙幣収納部７０、７２、７４、７６の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０、７２、７４、７６との間には帯封紙幣識別部６２が設けられており、帯封紙幣搬送部６０により搬送される帯封紙幣は当該帯封紙幣識別部６２によりその金種等が識別されるようになっている。より詳細には、帯封紙幣識別部６２は、例えば帯封紙幣搬送部６０により搬送される帯封紙幣の最上面または最下面の画像を撮像するイメージセンサ等の撮像部材を含んでおり、この撮像部材により撮像された帯封紙幣の最上面または最下面の画像に基づいて当該帯封紙幣の金種等を識別するようになっている。また、帯封紙幣識別部６２は、帯封紙幣の傷み具合（汚れや折れの有無）や、結束状態の良否（帯封紙のずれや破れの有無）を識別することもできるようになっている。
【００４５】
ここで、帯封部４２により作成された帯封紙幣を各帯封紙幣収納部７０、７２、７４、７６に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、帯封紙幣識別部６２によりその金種が識別された後、当該帯封紙幣識別部６２による判別結果に基づいて対応する各帯封紙幣収納部７０、７２、７４、７６に収納されるようになる。一方、各帯封紙幣収納部７０、７２、７４、７６に収納されている帯封紙幣を帯封紙幣投出部４８により筐体１２の外部に出金する際には、循環ベルト６０ｂは図２における時計回りの方向に循環移動し、各帯封紙幣収納部７０、７２、７４、７６から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が帯封紙幣識別部６２により識別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４６】
また、４つの帯封紙幣収納部７０、７２、７４、７６のうち最も左側に位置する帯封紙幣収納部７０の隣に回収部８０が設けられており、帯封紙幣搬送部６０から回収部８０に帯封紙幣を送ることができるようになっている。帯封紙幣搬送部６０から回収部８０に送られた帯封紙幣は当該回収部８０に集積されるようになる。回収部８０には、帯封紙幣識別部６２による識別結果に基づいて正常な帯封紙幣ではないと判断された帯封紙幣（例えば、金種間違いや帯封紙による結束不良）が送られるようになっている。このような回収部８０は、操作者は筐体１２から紙幣入出金装置１０の本体部分を手前側に引き出すことによりアクセスすることができるようになっている。
【００４７】
次に、本実施の形態による貨幣入出金機１における硬貨入出金装置１１０の構成について図１および図３を用いて説明する。図１および図３に示すように、本実施の形態による硬貨入出金装置１１０は、略直方体形状の筐体１１２と、筐体１１２の上面に設けられた硬貨投入口１２１に投入されたバラ硬貨を筐体１１２の内部で金種毎に収納繰出部（図示せず）に収納したり後述する包装部１６０に送ったりするバラ硬貨処理部１３０とを備えている。また、筐体１１２の内部には、筐体１１２の内部に投入されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。なお、バラ硬貨処理部１３０の構成の詳細については説明を省略する。
【００４８】
図３に示すように、包装部１６０は、硬貨投入口１２１により筐体１１２の内部に投入されたバラ硬貨やバラ硬貨処理部１３０における図示しないバラ硬貨収納部から送られたバラ硬貨が集積されるとともに集積されたバラ硬貨を１枚ずつ繰り出す集積部として回転円盤１６２を有している。また、包装部１６０は、回転円盤１６２から繰り出されたバラ硬貨を搬送するコンベア（図示せず）と、コンベアにより搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数（例えば、５０枚）重積した重積硬貨が包装媒体により包装されることにより包装硬貨が作成されるようになっている。図３に示すように、包装機構１６８により作成された包装硬貨はこの包装機構１６８から下方に排出されるようになっている。また、包装機構１６８の下方には包装硬貨用シュート１６５および横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送されるようになる。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００４９】
図３に示すように、包装硬貨搬送ユニット２１０は、筐体１１２の内部における上部および下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図３における時計回りの方向および反時計回りの方向に循環移動させる駆動モータ（図示せず）とを有している。また、図３に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図３における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられるようになる。そして、循環ベルト２１４が図３における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図３における反時計回りの方向に沿って搬送されるようになる。また、本実施の形態では、循環ベルト２１４は、所定量だけ移動すると所定時間だけ停止し、その後再び所定量だけ移動するような動作が繰り返し行われる間欠移動を行うよう、駆動モータにより駆動させられるようになっている。
【００５０】
また、図３に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図３に示す例では６つ）の収納トレイ２４０を有しており、各収納トレイ２４０には包装硬貨が金種別に収納されるようになっている。より詳細には、各収納トレイ２４０は水平方向に対して傾斜しており、収納トレイ２４０に収納されている包装硬貨は、包装硬貨搬送ユニット２１０に近い側である収納トレイ２４０の最前部に向かって転がるようになっている。また、各収納トレイ２４０は鉛直方向に沿って並ぶよう配置されている。また、各収納トレイ２４０に収納される包装硬貨の金種は収納トレイ２４０毎に予め設定されている。
【００５１】
また、各収納トレイ２４０は、図３に示す位置から包装硬貨搬送ユニット２１０に向かって（すなわち、図３における左方向に）移動可能となっており、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡されるようになる。また、各収納トレイ２４０の前端部分（すなわち、図３における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されないようになる。この場合には、循環ベルト２１４により搬送される包装硬貨が突起２１６から収納トレイ２４０の最前部に受け渡され、この収納トレイ２４０に収納されるようになる。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡されるようになる。
【００５２】
また、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２および包装硬貨投出部２３６にそれぞれ分岐させる分岐部材２１８、２１９、２２０が鉛直方向における上から順に設けられている。また、分岐部材２２０により包装硬貨搬送ユニット２１０から分岐させられた包装硬貨を包装硬貨投出部２３６に送る包装硬貨投出用シュート２３８が設けられている。ここで、図１に示すように、操作者は筐体１１２の前面から包装硬貨出金部２３０にアクセス可能となっており、分岐部材２１８により包装硬貨搬送ユニット２１０から分岐させられて包装硬貨出金部２３０に送られた包装硬貨を操作者は筐体１１２の外部に取り出すことができるようになっている。また、分岐部材２１９により包装硬貨搬送ユニット２１０から分岐させられて包装硬貨一括収納箱２３２に送られた包装硬貨は当該包装硬貨一括収納箱２３２に収納されるようになっている。なお、操作者は包装硬貨一括収納箱２３２を筐体１１２の外部に取り出すことによりこの包装硬貨一括収納箱２３２から包装硬貨を回収することができるようになる。また、図１に示すように、操作者は筐体１１２の前面から包装硬貨投出部２３６にアクセス可能となっており、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。また、循環ベルト２１４を図３における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができるようになる。
【００５３】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができるようになっている。
【００５４】
また、本実施の形態の貨幣入出金機１には、当該貨幣入出金機１の各構成部材の制御を行う制御部３００が設けられている。より詳細には、図４に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、帯封紙幣識別部６２、各帯封紙幣収納部７０、７２、７４、７６（具体的には、各帯封紙幣収納部７０、７２、７４、７６に設けられたステージ７０ａ、７２ａ、７４ａ、７６ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る情報や帯封紙幣識別部６２による帯封紙幣の金種等の識別結果に係る情報等が制御部３００に送られるとともに、制御部３００は紙幣入出金装置１０の各構成部材に指令信号を送ることによりこれらの構成部材の動作を制御するようになっている。
【００５５】
また、図４に示すように、制御部３００には、硬貨入出金装置１１０のバラ硬貨処理部１３０、包装部１６０、包装硬貨収納ユニット２００、包装硬貨搬送ユニット２１０、各分岐部材２１８、２１９、２２０等がそれぞれ接続されている。ここで、制御部３００は、硬貨入出金装置１１０の各構成部材に指令の信号を送ることによりこれらの構成部材の動作を制御するようになっている。
【００５６】
また、図４に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００５７】
次に、本実施の形態による貨幣入出金機１の動作について説明する。なお、以下に示すような貨幣入出金機１の動作は、制御部３００が紙幣入出金装置１０や硬貨入出金装置１１０の各構成部材を制御することにより行われるようになっている。
【００５８】
本実施の形態の貨幣入出金機１の紙幣入出金装置１０では、各帯封紙幣収納部７０、７２、７４、７６に収納されている帯封紙幣の金種毎の束数や合計金額を確認するために精査処理が行われるようになっている。具体的には、このような精査処理では、各帯封紙幣収納部７０、７２、７４、７６から繰り出され、帯封紙幣識別部６２により識別された帯封紙幣の金種毎の束数や合計金額（実績値）と、記憶部３０６に記憶されている、各帯封紙幣収納部７０、７２、７４、７６の在高情報（具体的には、各帯封紙幣収納部７０、７２、７４、７６に収納されている帯封紙幣の金種毎の束数や合計金額）とが比較されるようになっている。なお、各帯封紙幣収納部７０、７２、７４、７６の在高情報は、初期の装填量に、その後の処理に伴って増減された量を加減した結果（理論値）である。比較の結果、両者が一致しない場合には警告メッセージとともに両者の差が例えば操作表示部３０２に表示されるようになっている。例えば、「千円の帯封紙幣が１束足りません」というメッセージが操作表示部３０２に表示される。
【００５９】
また、本実施の形態では、紙幣入出金装置１０において各帯封紙幣収納部７０、７２、７４、７６に収納されている帯封紙幣について精査処理を行う際に、各帯封紙幣収納部７０、７２、７４、７６に収納されている帯封紙幣の集積順序を入れ替えるような並べ替え処理を伴う精査処理（以下、第１精査処理モードともいう）、およびこのような並び替え処理を伴わない精査処理（以下、第２精査処理モードともいう）のうちいずれかの精査処理を選択して行うことができるようになっている。このような第１精査処理モードおよび第２精査処理モードの詳細について以下に説明する。
【００６０】
まず、第１精査処理モードについて図５（ａ）〜（ｇ）を用いて説明する。図５に示す例では、各帯封紙幣収納部７０、７２、７４、７６にそれぞれ５束の帯封紙幣が金種毎に収納されている場合に、並び替え処理を伴う精査処理を行ったときの各金種の帯封紙幣の動きが示されている。なお、図５（ａ）において、各帯封紙幣収納部７０、７２、７４、７６に収納されている５束の帯封紙幣についてその金種がａ、ｂ、ｃ、ｄでそれぞれ示されており、また、上から何番目に収納されているかについて金種およびハイフン「−」の後の数字で示されている。具体的には、例えば、図５（ａ）に表示されるａ、ｂ、ｃ、ｄは、それぞれ千円、二千円、五千円、一万円の金種に対応している。
【００６１】
貨幣入出金機１が待機状態となっているときに、各帯封紙幣収納部７０、７２、７４、７６に収納されている帯封紙幣について第１精査処理モードによる精査処理を行う旨の指令が操作者によって操作表示部３０２により制御部３００に入力されると、まず、最も左側に位置する帯封紙幣収納部７０から金種「ａ」の帯封紙幣が１束ずつ帯封紙幣搬送部６０に繰り出され、この繰り出された帯封紙幣は帯封紙幣搬送部６０により図２における左方向に搬送される。また、帯封紙幣搬送部６０により搬送される帯封紙幣は帯封紙幣識別部６２によりその金種等が識別される。そして、帯封紙幣識別部６２により識別された帯封紙幣は帯封紙幣搬送部６０により帯封紙幣揚送部４６に送られ、この帯封紙幣揚送部４６のステージ４６ａ上に積層状態で集積されるようになる（図５（ｂ）参照）。ここで、帯封紙幣収納部７０に収納されている複数の帯封紙幣のうち最上層に位置する帯封紙幣（すなわち、図５（ａ）において「ａ−１」で示す帯封紙幣）は、帯封紙幣収納部７０から帯封紙幣搬送部６０に最初に繰り出され、当該帯封紙幣搬送部６０から帯封紙幣揚送部４６に最初に送られるため、ステージ４６ａ上に最初に集積されるようになる。逆に、帯封紙幣収納部７０に収納されている複数の帯封紙幣のうち最下層に位置する帯封紙幣（すなわち、図５（ａ）において「ａ−５」で示す帯封紙幣）は、帯封紙幣収納部７０から帯封紙幣搬送部６０に最後に繰り出され、当該帯封紙幣搬送部６０から帯封紙幣揚送部４６に最後に送られるため、ステージ４６ａ上に最後に集積されるようになる。このようにして、最も左側に位置する帯封紙幣収納部７０から、帯封紙幣揚送部４６に金種「ａ」の複数の帯封紙幣が全て送られると、金種「ａ」の帯封紙幣の集積順序が入れ替えられるようになる。また、図５（ｂ）に示すような動作により、最も左側に位置する帯封紙幣収納部７０が空状態となる。
【００６２】
次に、左側から２番目に位置する帯封紙幣収納部７２から金種「ｂ」の帯封紙幣が１束ずつ帯封紙幣搬送部６０に繰り出され、この繰り出された帯封紙幣は帯封紙幣搬送部６０により図２における左方向に搬送される。その後、帯封紙幣は帯封紙幣搬送部６０により最も左側に位置する帯封紙幣収納部７０に送られ、この帯封紙幣収納部７０のステージ７０ａ上に積層状態で集積されるようになる（図５（ｃ）参照）。ここで、左側から２番目に位置する帯封紙幣収納部７２から、最も左側に位置する帯封紙幣収納部７０に金種「ｂ」の複数の帯封紙幣が全て送られると、金種「ｂ」の帯封紙幣の集積順序が入れ替えられるようになる。また、図５（ｃ）に示すような動作により、左側から２番目に位置する帯封紙幣収納部７２が空状態となる。
【００６３】
次に、帯封紙幣揚送部４６から金種「ａ」の帯封紙幣が１束ずつ帯封紙幣搬送部６０に繰り出され、この繰り出された帯封紙幣は帯封紙幣搬送部６０により図２における右方向に搬送される。その後、帯封紙幣は帯封紙幣搬送部６０により左側から２番目に位置する帯封紙幣収納部７２に送られ、この帯封紙幣収納部７２のステージ７２ａ上に積層状態で集積されるようになる（図５（ｄ）参照）。ここで、帯封紙幣揚送部４６から、左側から２番目に位置する帯封紙幣収納部７２に金種「ａ」の複数の帯封紙幣が全て送られると、金種「ａ」の帯封紙幣の集積順序が入れ替えられるようになる。また、図５（ｄ）に示すような動作により、帯封紙幣揚送部４６が空状態となる。
【００６４】
次に、最も左側に位置する帯封紙幣収納部７０から金種「ｂ」の帯封紙幣が１束ずつ帯封紙幣搬送部６０に繰り出され、この繰り出された帯封紙幣は帯封紙幣搬送部６０により図２における左方向に搬送される。また、帯封紙幣搬送部６０により搬送される帯封紙幣は帯封紙幣識別部６２によりその金種等が識別される。そして、帯封紙幣識別部６２により識別された帯封紙幣は帯封紙幣搬送部６０により帯封紙幣揚送部４６に送られ、この帯封紙幣揚送部４６のステージ４６ａ上に積層状態で集積されるようになる（図５（ｅ）参照）。ここで、最も左側に位置する帯封紙幣収納部７０から、帯封紙幣揚送部４６に金種「ｂ」の複数の帯封紙幣が全て送られると、金種「ｂ」の帯封紙幣の集積順序が入れ替えられるようになる。また、図５（ｅ）に示すような動作により、最も左側に位置する帯封紙幣収納部７０が空状態となる。
【００６５】
次に、左側から２番目に位置する帯封紙幣収納部７２から金種「ａ」の帯封紙幣が１束ずつ帯封紙幣搬送部６０に繰り出され、この繰り出された帯封紙幣は帯封紙幣搬送部６０により図２における左方向に搬送される。その後、帯封紙幣は帯封紙幣搬送部６０により最も左側に位置する帯封紙幣収納部７０に送られ、この帯封紙幣収納部７０のステージ７０ａ上に積層状態で集積されるようになる（図５（ｆ）参照）。ここで、左側から２番目に位置する帯封紙幣収納部７２から、最も左側に位置する帯封紙幣収納部７０に金種「ａ」の複数の帯封紙幣が全て送られると、金種「ａ」の帯封紙幣の集積順序が入れ替えられるようになる。また、図５（ｆ）に示すような動作により、左側から２番目に位置する帯封紙幣収納部７２が空状態となる。
【００６６】
最後に、帯封紙幣揚送部４６から金種「ｂ」の帯封紙幣が１束ずつ帯封紙幣搬送部６０に繰り出され、この繰り出された帯封紙幣は帯封紙幣搬送部６０により図２における右方向に搬送される。その後、帯封紙幣は帯封紙幣搬送部６０により左側から２番目に位置する帯封紙幣収納部７２に送られ、この帯封紙幣収納部７２のステージ７２ａ上に積層状態で集積されるようになる（図５（ｇ）参照）。ここで、帯封紙幣揚送部４６から、左側から２番目に位置する帯封紙幣収納部７２に金種「ｂ」の複数の帯封紙幣が全て送られると、金種「ｂ」の帯封紙幣の集積順序が入れ替えられるようになる。また、図５（ｇ）に示すような動作により、帯封紙幣揚送部４６が空状態となる。
【００６７】
各帯封紙幣収納部７０、７２に収納されていた金種「ａ」および金種「ｂ」の帯封紙幣について上述した処理が行われると、図５（ｇ）に示すように各金種の帯封紙幣は元の帯封紙幣収納部７０、７２に戻されるようになる。また、最初に各帯封紙幣収納部７０、７２に収納されていた金種「ａ」および金種「ｂ」の帯封紙幣はそれぞれ３回集積順序が入れ替えられるようになるため、図５（ｂ）〜（ｇ）に示すような処理が行われて元の帯封紙幣収納部７０、７２に戻されたときに集積順序が上下逆に入れ替わった状態となる。
【００６８】
図５（ａ）において、帯封紙幣収納部７０の最下位にある帯封紙幣「ａ−５」は、帯封紙幣収納部７０内に最も長く滞留している可能性が高い（すなわち、最も古い）帯封紙幣である。このような帯封紙幣「ａ−５」は、上述した第１精査処理モードによる精査処理の結果、図５（ｇ）に示されるように帯封紙幣収納部７０の最上位に位置するようになり、よって次の払出処理で払い出される可能性が高くなる。
【００６９】
その後、各帯封紙幣収納部７４、７６に収納されている金種「ｃ」および金種「ｄ」の帯封紙幣についても、各帯封紙幣収納部７０、７２に収納されている金種「ａ」および金種「ｂ」の帯封紙幣と同様の処理が行われるようになる。すなわち、各帯封紙幣収納部７４、７６および帯封紙幣揚送部４６の間で、最初に各帯封紙幣収納部７４、７６に収納されていた金種「ｃ」および金種「ｄ」の帯封紙幣はそれぞれ３回集積順序が入れ替えられるようになる。このようにして、全ての帯封紙幣収納部７０、７２、７４、７６に収納されている帯封紙幣について第１精査処理モードによる精査処理が行われると、各帯封紙幣収納部７０、７２、７４、７６における帯封紙幣の集積順序が上下逆に入れ替わった状態となる。
【００７０】
このように、第１精査処理モードでは、各帯封紙幣収納部７０、７２、７４、７６に収納されている帯封紙幣について、ある帯封紙幣収納部から帯封紙幣を全て繰り出して偶数（具体的には、２つ）の他の帯封紙幣収納部または保留部（具体的には、帯封紙幣揚送部４６）を経由して元の帯封紙幣収納部に戻すような並べ替え処理が行われるようになる。
【００７１】
その後、帯封紙幣識別部６２により識別された帯封紙幣の金種毎の束数と、記憶部３０６に記憶されている各帯封紙幣収納部７０、７２、７４、７６の在高（具体的には、各帯封紙幣収納部７０、７２、７４、７６に収納されている帯封紙幣の金種毎の束数）とが制御部３００において比較される。そして、両者が一致しない場合には警告メッセージとともに両者の差が例えば操作表示部３０２に表示される。
【００７２】
次に、帯封紙幣の集積順序を入れ替えるような並べ替え処理を伴わないような第２精査処理モードによる精査処理の内容について説明する。各帯封紙幣収納部７０、７２、７４、７６に収納されている帯封紙幣について第２精査処理モードによる精査処理を行う旨の指令が操作表示部３０２により制御部３００に入力されると、まず、最も左側に位置する帯封紙幣収納部７０から金種「ａ」の帯封紙幣が１束ずつ帯封紙幣搬送部６０に繰り出され、この繰り出された帯封紙幣は帯封紙幣搬送部６０により図２における左方向に搬送される。また、帯封紙幣搬送部６０により搬送される帯封紙幣は帯封紙幣識別部６２によりその金種等が識別される。そして、帯封紙幣識別部６２により識別された帯封紙幣は帯封紙幣搬送部６０により帯封紙幣揚送部４６に送られ、この帯封紙幣揚送部４６のステージ４６ａ上に積層状態で集積されるようになる。そして、帯封紙幣収納部７０から金種「ａ」の帯封紙幣が全て帯封紙幣揚送部４６に送られると、この帯封紙幣揚送部４６から帯封紙幣が１束ずつ帯封紙幣搬送部６０に繰り出され、この帯封紙幣搬送部６０により最も左側に位置する帯封紙幣収納部７０に戻されるようになる。このような動作により、帯封紙幣識別部６２により識別された帯封紙幣を元の帯封紙幣収納部７０に戻すことができるようになるが、帯封紙幣識別部６２により識別される前と後とで帯封紙幣収納部７０における帯封紙幣の集積順序は入れ替えられない。そして、帯封紙幣揚送部４６から最も左側に位置する帯封紙幣収納部７０に金種「ａ」の帯封紙幣が全て戻されると、残りの帯封紙幣収納部７２、７４、７６に収納されている帯封紙幣についても同様の処理が行われるようになる。
【００７３】
また、本実施の形態では、各帯封紙幣収納部７０、７２、７４、７６に収納されている帯封紙幣について上記の精査処理を行わない場合でも上述した第１精査処理モードと同様の方法により各帯封紙幣収納部７０、７２、７４、７６および帯封紙幣揚送部４６の間で帯封紙幣を移し替えることによって集積順序を逆にすることができるようになっている。具体的には、操作者が操作表示部３０２により並べ替え処理の開始の指示を入力したり上位端末等の外部装置３１０から通信インターフェース部３０８を介して並べ替え処理の開始の指示信号が送信されたりすることにより制御部３００が並べ替え処理の開始の指示を受け付けたときに、制御部３００が各帯封紙幣収納部７０、７２、７４、７６に収納されている帯封紙幣について上述した第１精査処理モードと同様の方法により集積順序の並び替え処理を行うようになっている。
【００７４】
また、本実施の形態では、例えば営業時間外の所定の時刻となったとき、あるいは貨幣入出金機１において営業時間終了後に締め処理が行われたときに、各帯封紙幣収納部７０、７２、７４、７６に収納されている帯封紙幣について上記の第１精査処理モードによる精査処理が行われるようになっていてもよい。また、操作者が筐体１２から紙幣入出金装置１０の本体部分を手前側に引き出して各帯封紙幣収納部７０、７２、７４、７６にアクセス可能となった後、この本体部分が筐体１２の内部に戻されたときに、各帯封紙幣収納部７０、７２、７４、７６に収納されている帯封紙幣について上記の第１精査処理モードによる精査処理が行われるようになっていてもよい。各帯封紙幣収納部７０、７２、７４、７６がアクセス可能となるとこれらの帯封紙幣収納部７０、７２、７４、７６から帯封紙幣が不正に抜き取られる可能性があるため、本体部分が筐体１２の内部に戻された後に精査処理を行うことにより各帯封紙幣収納部７０、７２、７４、７６に収納されている帯封紙幣の在高を確認することによって不正行為をすぐに検知することができるようになる。
【００７５】
また、制御部３００は、少なくとも１つの帯封紙幣が各帯封紙幣収納部７０、７２、７４、７６に滞留している時間が所定の時間に達した場合に、各帯封紙幣収納部７０、７２、７４、７６に収納されている帯封紙幣について集積順序の並び替え処理が自動で行われるようになっていてもよい。この場合、複数の帯封紙幣収納部７０、７２、７４、７６のうち一部の帯封紙幣収納部７０、７２、７４、７６において帯封紙幣が滞留している時間が所定の時間に達した場合には、この帯封紙幣が収納されている帯封紙幣収納部７０、７２、７４、７６についてのみ収納されている帯封紙幣の集積順序の並び替え処理が自動で行われるようになっていてもよい。ただし、１つの帯封紙幣収納部だけでは上述したような帯封紙幣の集積順序の並び替え処理を行うことができないため、１つの帯封紙幣収納部のみにおいて帯封紙幣が滞留している時間が所定の時間に達した場合でも、２つの帯封紙幣収納部および帯封紙幣揚送部４６を用いて図５（ｂ）〜図５（ｇ）に示すような方法と同様の方法により帯封紙幣の集積順序の並び替え処理が行われるようになる。
【００７６】
また、各帯封紙幣収納部７０、７２、７４、７６に収納されている帯封紙幣の滞留時間が全て所定の時間に達していない場合（すなわち、帯封紙幣の並び替えを行う必要がない場合）には、精査処理の処理モードが第２精査処理モードに自動で切り替えられるようになっていてもよい。第２精査処理モードによる精査処理は第１精査処理モードによる精査処理よりも短時間で行うことができるため、各帯封紙幣収納部７０、７２、７４、７６に収納されている帯封紙幣の滞留時間が短く、帯封紙幣の集積順序の並び替えを行う必要がない場合には、精査処理の処理モードを第２精査処理モードとすることにより精査処理にかかる時間を短くすることができる。詳しく説明すると、図５に示されるように、第１精査処理モードによる精査処理で２個の帯封紙幣収納部７０について帯封紙幣の集積順序の並び替えを実行するには６ステップの帯封紙幣群の移動が必要になる。一方、第２精査処理モードによる精査処理では帯封紙幣群の移動が４ステップで済むことから、後者のほうが処理時間が短くなる。
【００７７】
また、本実施の形態では、各帯封紙幣収納部７０、７２、７４、７６に収納されている帯封紙幣について並び替え処理が行われる際に、帯封紙幣識別部６２による識別結果に基づいて正常な帯封紙幣ではないと判断された帯封紙幣（例えば、金種間違いや帯封紙による結束不良）は帯封紙幣搬送部６０により回収部８０に送られ、この回収部８０に集積されるようになっている。そして、操作者は筐体１２から紙幣入出金装置１０の本体部分を手前側に引き出すことにより回収部８０にアクセスしてこの回収部８０から帯封紙幣を取り出すことができるようになる。なお、帯封紙幣識別部６２による識別結果に基づいて正常な帯封紙幣ではないと判断された帯封紙幣が帯封紙幣搬送部６０により回収部８０に送られる代わりに帯封紙幣投出部４８により筐体１２の外部に投出されるようになっていてもよい。また、帯封紙幣識別部６２による識別結果に基づいて正常な帯封紙幣ではないと判断された帯封紙幣が回収部８０に送られたり帯封紙幣投出部４８により筐体１２の外部に投出されたりすると、この帯封紙幣の情報が操作表示部３０２に表示されるとともに、記憶部３０６に記憶されている各帯封紙幣収納部７０、７２、７４、７６に収納されている帯封紙幣の在高情報から差し引かれるようになっている。
【００７８】
以上のような構成からなる本実施の形態の貨幣入出金機１によれば、帯封紙幣を集積状態で保留するとともに保留されている帯封紙幣を集積された順とは逆の順に１つずつ放出可能な保留部として帯封紙幣揚送部４６が設けられており、制御部３００は、ある帯封紙幣収納部（例えば、帯封紙幣収納部７０）から帯封紙幣を全て繰り出して偶数の個数の他の帯封紙幣収納部（例えば、帯封紙幣収納部７２）または帯封紙幣揚送部４６を経由して元の帯封紙幣収納部に戻すような並べ替え処理を行うよう各構成部材を制御するようになっている。このことにより、各帯封紙幣収納部７０、７２、７４、７６に割り当てられる帯封紙幣の金種を変更することなく、各帯封紙幣収納部７０、７２、７４、７６に収納されている帯封紙幣の集積順序を入れ替えることができる。このように、各帯封紙幣収納部７０、７２、７４、７６に収納されている帯封紙幣の集積順序を入れ替えると、帯封紙幣が各帯封紙幣収納部７０、７２、７４、７６に長期間滞留してしまうことを防止することができる。この場合には、各帯封紙幣収納部７０、７２、７４、７６に収納されている帯封紙幣について経年変化による紙幣自体や結束状態の劣化を抑制することができ、また、各帯封紙幣収納部７０、７２、７４、７６に収納されている帯封紙幣からバラ紙幣を抜き取って各帯封紙幣収納部７０、７２、７４、７６に戻すような不正行為を早期に発見することができるようになる。
【００７９】
なお、本実施の形態の貨幣入出金機１では、帯封紙幣を集積状態で保留するとともに保留されている帯封紙幣を集積された順とは逆の順に１つずつ放出可能な保留部は、帯封紙幣揚送部４６に限定されることはない。変形例に係る貨幣入出金機１において、帯封紙幣揚送部４６とは別に、帯封紙幣を集積状態で保留するとともに保留されている帯封紙幣を集積された順とは逆の順に１つずつ放出可能な保留部を設けてもよい。
【００８０】
また、本実施の形態の貨幣入出金機１においては、上述したように、制御部３００は、並べ替え処理を行う際に、複数の帯封紙幣収納部７０、７２、７４、７６のうち第１の帯数紙幣収納部（例えば、最も左側に位置する帯封紙幣収納部７０）から帯封紙幣を全て繰り出して保留部としての帯封紙幣揚送部４６に送り（図５（ｂ）参照）、その後、第１の帯封紙幣収納部が空状態となると第２の帯封紙幣収納部（例えば、左から２番目に位置する帯封紙幣収納部７２）から帯封紙幣を全て繰り出して第１の帯封紙幣収納部に送り（図５（ｃ）参照）、その後、第２の帯封紙幣収納部が空状態となると保留部としての帯封紙幣揚送部４６から帯封紙幣を全て繰り出して第２の帯封紙幣収納部に送り（図５（ｄ）参照）、その後、保留部としての帯封紙幣揚送部４６が空状態となると第１の帯封紙幣収納部から帯封紙幣を全て繰り出して保留部としての帯封紙幣揚送部４６に送り（図５（ｅ）参照）、その後、第１の帯封紙幣収納部が空状態となると第２の帯封紙幣収納部から帯封紙幣を全て繰り出して第１の帯封紙幣収納部に送り（図５（ｆ）参照）、その後、第２の帯封紙幣収納部が空状態となると保留部としての帯封紙幣揚送部４６から帯封紙幣を全て繰り出して第２の帯封紙幣収納部に送る（図５（ｇ）参照）よう各構成部材を制御するようになっている。
【００８１】
なお、本実施の形態において、各帯封紙幣収納部７０、７２、７４、７６に収納されている帯封紙幣について並び替え処理が行われる際に、元の帯封紙幣収納部に戻るまでに経由する他の帯封紙幣収納部または保留部（具体的には、帯封紙幣揚送部４６）の数は２つに限定されることはない。各帯封紙幣収納部７０、７２、７４、７６に収納されている帯封紙幣について並び替え処理が行われる際に、元の帯封紙幣収納部に戻るまでに４つ以上の偶数の個数の他の帯封紙幣収納部または帯封紙幣揚送部４６等の保留部を経由するようになっていてもよい。また、各帯封紙幣収納部７０、７２、７４、７６に収納されている帯封紙幣について並び替え処理が行われる際に、元の帯封紙幣収納部に戻るまでに、帯封紙幣揚送部４６等の保留部を経由せずに、偶数の個数の他の帯封紙幣収納部のみを経由するようになっていてもよい。
【００８２】
また、本実施の形態の貨幣入出金機１においては、上述したように、帯封紙幣の識別を行う帯封紙幣識別部６２が設けられており、並べ替え処理が行われる際に、帯封紙幣識別部６２により帯封紙幣の識別が行われるようになっている。また、帯封紙幣を回収するための回収部８０が設けられており、帯封紙幣識別部６２による識別結果に基づいて正常な帯封紙幣ではないと判断された帯封紙幣が回収部８０により回収されるようになっている。なお、他の態様として、帯封紙幣を筐体１２の外部に投出するための帯封紙幣投出部４８が設けられており、帯封紙幣識別部６２による識別結果に基づいて正常な帯封紙幣ではないと判断された帯封紙幣が帯封紙幣投出部４８により筐体１２の外部に投出されるようになっていてもよい。
【００８３】
また、本実施の形態の貨幣入出金機１においては、上述したように、各帯封紙幣収納部７０、７２、７４、７６に収納されている帯封紙幣の金種別の束数を記憶する記憶部３０６が設けられており、制御部３００は、各帯封紙幣収納部７０、７２、７４、７６から繰り出され帯封紙幣識別部６２により識別された帯封紙幣の金種別の束数と記憶部３０６に記憶されている帯封紙幣の金種別の束数とを比較する精査処理を行う際に並べ替え処理も行うようになっていてもよい。具体的には、上述した第１精査処理モードによる精査処理が行われるようになっている。この場合に、精査処理における、各帯封紙幣収納部７０、７２、７４、７６から繰り出され帯封紙幣識別部６２により識別された帯封紙幣の金種別の束数と記憶部３０６に記憶されている帯封紙幣の金種別の束数とが異なる場合に両者の差が操作表示部３０２に表示されることによって操作者に報知されるようになっている。なお、両者の差を操作者に報知するための報知部は操作表示部３０２に限定されることはない。両者の差を操作者に報知するための報知部として、例えば音声により操作者に報知する音声部等の、操作表示部３０２以外のものが用いられるようになっていてもよい。
【００８４】
また、本実施の形態の貨幣入出金機１においては、上述したように、制御部３００が並べ替え処理を行うタイミングは、並べ替え処理の開始の指示を受け付けたとき、所定の時刻となったとき、貨幣入出金機１において締め処理が行われたとき、および操作者が各帯封紙幣収納部７０、７２、７４、７６にアクセス可能となったときのうち少なくともいずれか１つのときとなっていてもよい。また、制御部３００は、少なくとも１つの帯封紙幣が帯封紙幣収納部７０、７２、７４、７６に滞留している時間が所定の時間に達した場合に並べ替え処理を行うようになっていてもよい（具体的には、その日の締め処理時に並び替え処理が行われることが好ましい）。
【００８５】
なお、本実施の形態による貨幣入出金機１やこのような貨幣入出金機１の紙幣入出金装置１０における帯封紙幣の処理方法は、上述したような態様に限定されることはなく、様々な変更を加えることができる。
【００８６】
例えば、本実施の形態による貨幣入出金機１の紙幣入出金装置１０において、帯封紙幣が積層状態で収納される各帯封紙幣収納部７０、７２、７４、７６として、その上端部（天井部分）に帯封紙幣の出入口が設けられるような上入れ上出しタイプのものではなく、その下端部（底部分）に帯封紙幣の出入口が設けられるような下入れ下出しタイプのものが用いられてもよい。
【００８７】
また、本発明に係る紙幣入出金装置１０は、硬貨入出金装置１１０と組み合わせられることにより貨幣入出金機１を構成するようなものに限定されることはない。本発明に係る紙葉類処理装置として、紙幣入出金装置１０が単体で用いられてもよい。この場合には、制御部３００や操作表示部３０２、記憶部３０６は紙幣入出金装置１０に設けられるようになる。
【００８８】
また、上述した貨幣入出金機１の紙幣入出金装置１０および上位端末等の外部装置３１０を組み合わせることにより本発明に係る紙葉類処理システムが構成されるようになっていてもよい。この場合には、上位端末等の外部装置３１０は、紙幣入出金装置１０の管理を行う管理装置として機能するようになる。また、上記の説明では、貨幣入出金機１に設けられた制御部３００が各帯封紙幣収納部７０、７２、７４、７６に収納されている帯封紙幣についての並び替え処理を行うような態様について述べたが、本発明に係る紙葉類処理システムでは、管理装置としての外部装置３１０に、紙幣入出金装置１０の各帯封紙幣収納部７０、７２、７４、７６に収納されている帯封紙幣についての並び替え処理を行う制御部が設けられていてもよい。
【００８９】
また、本発明に係る紙葉類処理装置は、複数の帯封紙幣収納部に収納されている帯封紙幣の集積順序を逆にするような並び替え処理が行われる紙幣入出金装置に限定されることはない。本発明に係る紙葉類処理装置として、紙幣以外の小切手や商品券等の紙葉類が帯封されることにより作成される束紙葉類が種類毎に集積状態で収納される束紙葉類収納部が複数設けられており、各束紙葉類収納部における束紙葉類の集積順序を逆にするような並び替え処理が行われるものが用いられてもよい。具体的には、本発明に係る紙葉類処理装置において、束紙葉類を集積状態で保留するとともに保留されている束紙葉類を集積された順とは逆の順に１つずつ放出可能な保留部が設けられており、ある束紙葉類収納部から束紙葉類を全て繰り出して偶数の個数の他の束紙葉類収納部または保留部を経由して元の束紙葉類収納部に戻すような並べ替え処理が行われるようになっている。また、記憶部には、各束紙葉類収納部に収納されている束紙葉類の種類別の束数が記憶されるようになり、制御部は、各束紙葉類収納部から繰り出され識別部により識別された束紙葉類の種類別の束数と記憶部に記憶されている束紙葉類の種類別の束数とを比較する精査処理を行う際に並べ替え処理も行うことができるようになる。また、この場合には、精査処理における、各束紙葉類収納部から繰り出され識別部により識別された束紙葉類の種類別の束数と記憶部に記憶されている束紙葉類の種類別の束数とが異なる場合に両者の差が操作表示部等の報知部により操作者に報知されるようになる。
【００９０】
また、硬貨入出金装置１１０における包装硬貨収納ユニット２００の各収納トレイ２４０についても、包装硬貨の収納順序を逆にするような並び替え処理が行われるようになっていてもよい。各収納トレイ２４０に収納されている包装硬貨の並び替え処理を行うにあたり、まず、複数の収納トレイ２４０のうち第１の収納トレイ２４０（例えば、図３において最も上側に位置する収納トレイ２４０）から第１の金種の包装硬貨を全て繰り出して包装硬貨搬送ユニット２１０に送る。この際に、循環ベルト２１４を図３における反時計回りの方向に循環移動させ、第１の収納トレイ２４０から繰り出された第１の金種の包装硬貨を包装硬貨搬送ユニット２１０の循環ベルト２１４に設けられた各突起２１６に１つずつ引っ掛けさせるようにする。その後、第１の収納トレイ２４０が空状態となると複数の収納トレイ２４０のうち第２の収納トレイ２４０（例えば、図３において上から２番目に位置する収納トレイ２４０）から第２の金種の包装硬貨を全て繰り出して包装硬貨搬送ユニット２１０により第１の収納トレイ２４０に送る。この際に、包装硬貨搬送ユニット２１０の循環ベルト２１４における第１の金種の包装硬貨が引っ掛けられていない突起２１６を使うようにする。また、第２の収納トレイ２４０から第１の収納トレイ２４０に第２の金種の包装硬貨が全て送られると、第２の金種の包装硬貨の収納順序が入れ替えられるようになる。
【００９１】
その後、第２の収納トレイ２４０が空状態となると、循環ベルト２１４を図３における時計回りの方向に循環移動させ、包装硬貨搬送ユニット２１０の循環ベルト２１４に保留されている第１の金種の包装硬貨を第２の収納トレイ２４０に送る。その後、包装硬貨搬送ユニット２１０が空状態となると、第１の収納トレイ２４０から第２の金種の包装硬貨を全て繰り出して包装硬貨搬送ユニット２１０に送る。この際に、循環ベルト２１４を図３における反時計回りの方向に循環移動させ、第１の収納トレイ２４０から繰り出された第２の金種の包装硬貨を包装硬貨搬送ユニット２１０の循環ベルト２１４に設けられた各突起２１６に１つずつ引っ掛けさせるようにする。その後、第１の収納トレイ２４０が空状態となると第２の収納トレイ２４０から第１の金種の包装硬貨を全て繰り出して包装硬貨搬送ユニット２１０により第１の収納トレイ２４０に送る。この際に、包装硬貨搬送ユニット２１０の循環ベルト２１４における第２の金種の包装硬貨が引っ掛けられていない突起２１６を使うようにする。また、第２の収納トレイ２４０から第１の収納トレイ２４０に第１の金種の包装硬貨が全て送られると、第１の金種の包装硬貨の収納順序が入れ替えられるようになる。最後に、第２の収納トレイ２４０が空状態となると、循環ベルト２１４を図３における時計回りの方向に循環移動させ、包装硬貨搬送ユニット２１０の循環ベルト２１４に保留されている第２の金種の包装硬貨を第２の収納トレイ２４０に送る。このことにより、第１の収納トレイ２４０および第２の収納トレイ２４０に収納されている包装硬貨の収納順序が入れ替えられた状態となる。
【００９２】
各収納トレイ２４０に収納されていた第１の金種および第２の金種の包装硬貨について上述した処理が行われると、各金種の包装硬貨は元の収納トレイ２４０に戻されるようになる。また、最初に各収納トレイ２４０に収納されていた第１の金種および第２の金種の包装硬貨はそれぞれ３回収納順序が入れ替えられるようになるため、上述した並び替え処理が行われて元の収納トレイ２４０に戻されたときに収納順序が入れ替えられた状態となる。
【００９３】
その後、各収納トレイ２４０に収納されている他の金種の包装硬貨についても、上述した第１の金種および第２の金種の包装硬貨と同様の処理が行われるようになる。このようにして、全ての収納トレイ２４０に収納されている包装硬貨について並び替え処理が行われると、各収納トレイ２４０における包装硬貨の集積順序が入れ替えられた状態となる。
【００９４】
このように、硬貨入出金装置１１０でも、包装硬貨収納ユニット２００の各収納トレイ２４０に収納されている包装硬貨について、ある収納トレイ２４０から包装硬貨を全て繰り出して偶数（具体的には、２つ）の他の収納トレイ２４０または保留部（具体的には、包装硬貨搬送ユニット２１０）を経由して元の収納トレイ２４０に戻すような並べ替え処理を行うことができるようになっている。
【符号の説明】
【００９５】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      帯封紙幣識別部
７０、７２、７４、７６  帯封紙幣収納部
７０ａ、７２ａ、７４ａ、７６ａ  ステージ
８０      回収部
１１０    硬貨入出金装置
１１２    筐体
１１４    前扉
１２１    硬貨投入口
１３０    バラ硬貨処理部
１６０    包装部
１６２    回転円盤
１６５    包装硬貨用シュート
１６７    横搬送部
１６８    包装機構
１６８ａ  包装ローラ
１６９    切換部材
２００    包装硬貨収納ユニット
２０４    ストッパ機構
２０４ａ  ストッパ部分
２１０    包装硬貨搬送ユニット
２１２    プーリ
２１４    循環ベルト
２１６    突起
２１８、２１９、２２０  分岐部材
２３０    包装硬貨出金部
２３２    包装硬貨一括収納箱
２３６    包装硬貨投出部
２３８    包装硬貨投出用シュート
２４０    収納トレイ
３００    制御部
３０２    操作表示部
３０４    印字部
３０６    記憶部
３０８    通信インターフェース部
３１０    外部装置
【図１】
0006692176.tif 000002
【図２】
0006692176.tif 000003
【図３】
0006692176.tif 000004
【図４】
0006692176.tif 000005
【図５】
0006692176.tif 000006